(57)【特許請求の範囲】
【請求項１】
地上デジタル放送による１セグメントを使って特定エリアに向けて独自のエリア情報を送信するための基地局装置を備えることで，前記基地局装置を構成する送信アンテナより送信された前記エリア情報を携帯端末によって受信するように構成してなる特定エリア向けのエリア限定放送システムにおいて，
少なくとも，前記基地局装置は，地上デジタル放送における１セグメントの放送信号を使用して限定された特定エリアにおいて利用される特定エリア情報信号を生成する信号生成部と前記生成された特定エリア情報信号を前記特定エリアに向かって送信する送信アンテナから構成され，前記特定エリア情報信号を所定のレベルで持って送信する送信手段を備えており，
前記送信手段を構成する送信アンテナは，前記特定エリア情報信号を放射するアンテナ部と，当該アンテナ部の近傍に備えられた導電体材料を使って所定の形状に形成された遮蔽材であって，その面が前記アンテナ部の放射方向に向くように設けた遮蔽部を備えるように構成されており，
少なくとも，前記アンテナ部は，当該アンテナ部と前記携帯端末との上下方向の位置の比較において，前記携帯端末の使用の状態における位置を含む水平面より，前記アンテナ部が設置された位置を含む水平面が，常に前記使用状態の携帯端末の位置を示す水平面より下方に位置するように配設されていると共に，前記アンテナ部は，当該アンテナ部から送出される前記特定エリア情報信号が上方に向かって放射するように配設されており，
前記遮蔽部は，当該遮蔽部と前記携帯端末との水平方向の位置の比較において，前記遮蔽部がなす平面と前記携帯端末の使用の状態における位置を含む水平面が交差するような位置に備えられていることを特徴とするエリア限定放送システム。
【請求項２】
地上デジタル放送による１セグメントを使って特定エリアに向けて独自のエリア情報を送信するための基地局装置を備えることで，前記基地局装置より送信された前記エリア情報を携帯端末によって受信するように構成してなる特定エリア向けの放送システムを，少なくとも一箇所設けることで形成される前記特定エリアより広い限定エリア向けのエリア限定放送システムにおいて，
少なくとも，前記限定エリア内における前記特定エリア毎に設けたそれぞれの前記基地局装置は，地上デジタル放送における１セグメントの放送信号を使用して限定された特定エリアにおいて利用される特定エリア情報信号を生成する信号生成部と前記生成された特定エリア情報信号を前記特定エリアに向かって送信する送信アンテナから構成され，前記特定エリア情報信号を所定のレベルで持って送信する送信手段を備えており，
前記送信手段を構成する前記送信アンテナは，前記特定エリア情報信号を放射するアンテナ部と，当該アンテナ部の近傍に備えられた導電体材料を使って所定の形状に形成された遮蔽材であって，その面が前記アンテナ部の放射方向に向くように設けた遮蔽部を備えるように構成されており，
少なくとも，前記アンテナ部は，当該アンテナ部と前記携帯端末との上下方向の位置の比較において，前記携帯端末の使用の状態における位置を含む水平面より，前記アンテナ部が設置された位置を含む水平面が，常に前記使用状態の携帯端末の位置を示す水平面より下方に位置するように配設されていると共に，前記アンテナ部は，当該アンテナ部から送出される前記特定エリア情報信号が上方に向かって放射するように配設されており，
前記遮蔽部は，当該遮蔽部と前記携帯端末との水平方向の位置の比較において，前記遮蔽部がなす平面と前記携帯端末の使用の状態における位置を含む水平面が交差するような位置に備えられていることを特徴としたエリア限定放送システム。
【請求項３】
前記システムに使用される前記特定エリア情報信号は，それぞれ特定エリアごとに異なる情報から生成されていることを特徴とした請求項２に記載のエリア限定放送システム。
【請求項４】
前記システムに使用される前記特定エリア情報信号は，全て同一周波数の電波を使って所定のレベルで送信するように構成したことを特徴とした請求項３に記載のエリア限定放送システム。
【請求項５】
前記システムは，それぞれの特定エリアに向かって前記特定エリア情報信号を所定レベルで送信する特定エリア向けの前記基地局装置をそれぞれ備えているのに加え，前記限定エリアには，当該限定エリア全体に向かって，前記特定エリア向けの特定エリア情報信号とは異なる情報からなる限定エリア情報信号を，前記特定エリア情報信号と同一の周波数の電波を使って所定レベルで送信するように構成した限定エリア向けの基地局装置を設けるように構成されていることを特徴とした請求項３または請求項４に記載のエリア限定放送システム。
【発明の詳細な説明】
【技術分野】
【０００１】
本発明は，特定エリアに対して独自の情報を提供するエリア限定放送システムに関し，特に，地上デジタル放送における１セグメントを使って放送を行うエリア限定放送システムに関する。
【背景技術】
【０００２】
地上デジタル放送の本格的な普及に伴い，家庭においてハイビジョンによる美しい映像やデータ放送が楽しめるようになったばかりでなく，普及著しい携帯電話などの携帯端末を使って，地上デジタル放送の部分受信である１セグメント放送も簡単に受信できるようになり，いつでもどこでも映像やデータ放送が楽しめるようになった。
このような状況にあって，近年，この地上デジタル放送における１セグメント放送を使って，特定エリアに対して地上デジタル放送以外の独自の情報を提供するエリア限定放送システムが検討されており，各種組織や団体が実験無線局の免許を取得したり微弱電波を使ったりすることによって，特定のエリアに限定的に情報を送信するための実証実験が行われている。
従来よりこの種の情報システムとして，限定された地域で利用される情報を放送対象として取得する取得手段と，前記取得された情報の信号を無線により送信する手段であって，地上デジタル放送における１セグメントの放送を使用して，前記限定された地域に届く程度のレベルで送信する送信手段と，から構成された地上デジタル放送の基地局装置を用いたシステムが知られている（例えば，特許文献１参照）。
【０００３】
このように構成された地上デジタル放送の基地局装置を用いたエリア限定放送システムは，特定エリアの例である大規模テーマパークや商店街のような屋外においてイベントの案内や駐車場案内等の情報を映像や文字データを使って放送するばかりでなく，美術館や博物館のような公共施設，展示会場や地下街など多数の出展者や店舗が集まるような空間に応用すれば，例えば美術館や博物館では展示物毎の近傍の壁面に送信アンテナを備えさせれば，当該送信アンテナからそれぞれの展示物に対する映像や文字データを使った解説情報を放送したり，展示会や地下街では独自の情報を発信したい出展者や各種店舗がそれぞれのブースや店舗の壁面に送信アンテナを備えさせれば，それぞれ独自のコンテンツを放送したりすることができるようになり，それらの会場を訪れた人は１セグメント放送に対応した携帯電話等の携帯端末を使えば，多様な情報を簡単，且つ，素早く取得することができるようになる（例えば，非特許文献１参照。報道発表資料「微小電力電波による１セグメント携帯電話向け情報提供システムの公開試験の実施」）。
【先行技術文献】
【特許文献】
【０００４】
【特許文献１】特開２００６−２７９３７６号公報
【非特許文献１】ｈｔｔｐ://ｗｗｗ．ｓｏｕｍｕ．ｇｏ．ｊｐ／ｓｏｕｔｓｕ／ｔｏｋａｉ／ｔｏｏｌ／ｋｏｈｏｓｉｒｙｏ／
【発明の概要】
【発明が解決しようとする課題】
【０００５】
ところが，従来技術のような地上デジタル放送の基地局装置を用いたエリア限定放送システムでは，上述したような大規模テーマパークや商店街や，美術館や博物館のような公共施設，展示会場や地下街など多数の出展者や店舗が集まるような空間などの限定されたエリア全体に向けて地上デジタル放送とは異なる独自のコンテンツを放送する場合は，電波法等を遵守して既存の放送事業者や地上デジタル放送を楽しんでいる視聴者等に悪影響を与えないように注意して配設すればよいが，例えば上述した美術館や博物館などの公共施設，展示会場や地下街など多数の出展者や店舗が集まるような空間のような，会場全体である限定エリアに対するコンテンツの配信に加え，当該限定エリア内における特定エリア，つまり，限定エリア内の各店舗，出展ブース毎に，それぞれ独自のイベントやお買い得情報などのコンテンツを放送するような放送システムを考えた場合，上述のように電波法等を遵守して既存の放送事業者や地上デジタル放送を楽しんできる視聴者等に悪影響を与えないように注意して配設するのは勿論のことであるが，更に加えて，限定エリア向け放送システムと特定エリア向け放送システムの両方が受信できるように，できる限り電波の不感帯が狭くなるようにシステムを配設しなければならないと言った問題があった。
【０００６】
また，前記特定エリアを構成する店舗やブース等の配設状況によっては，どうしてもそれぞれの店舗等に備えられた特定エリア向けの放送システムが近設してしまうため，近接する特定エリア同士での電波干渉によって発生が予測される電波の不感帯エリアをできる限り狭くするように配設しなければならないと言った問題があった。
【０００７】
これらの問題を解決する方法として，前記基地局装置ごとに送信周波数（チャンネル）を適宜に替えて放送を行う方法もあるが，周波数が変えられるように送信手段を構成するとコストが高くなると言った問題に加え，限られた資産である電波の有効利用ができないといった問題があった。また，受信者側の立場で考えれば，店舗やブース等によって携帯端末のチャンネルを変えたり，改めてスキャンをしたりする必要が生じ面倒であると言った問題があった。これに対応するために，同一周波数を使って送信する方法が考えられるが，この場合，携帯端末のチャンネルを一度設定したら，店舗やブース等を替えてもシームレスで受信できるようになり便利であるものの，非特許文献１に示されるような，例えば隣り合った店舗等のそれぞれの壁面上部に送信アンテナを取り付けて，特定エリア向けの限定情報を送信するようなシステムでは，同一周波数の電波の存在によって生じる不感帯を狭くするのは容易にはし難いと言った問題があった。
【０００８】
また，不感帯エリアを狭くする方法として，例えば各基地局装置に備えた送信アンテナの指向性を鋭くする方法が考えられるが，この場合，前記基地局装置の設置側の立場で考えると，送信アンテナが大きくなってコストが高くなったり，そのため設置場所のスペースを広く取る必要があったりして，狭い店舗やブースに設置するには問題があった。一方受信側の立場で考えると，指向特性が鋭いアンテナが使われると受信できる範囲が極端に狭くなってしまうことが考えられ，その結果，受信できる場所が限られてしまってその場所を探さないと情報が得られないと言った問題が考えられた。
【０００９】
そこで本願においては，こうした問題点を解決するためになされたものであり，
その目的は，地上デジタル放送における１セグメントを使ったエリア限定放送システムにおいて，地域限定の情報を効率よく放送できるシステムを提供することにある。
他の目的は，地上デジタル放送における１セグメントを使ったエリア限定放送システムにおいて，簡単，且つ，安価に構成できるシステムを提供することにある。
他の目的は，地上デジタル放送における１セグメントを使ったエリア限定放送システムにおいて，屋外施設や展示会場のような空間に好適なシステムを提供することにある。
他の目的は，地上デジタル放送における１セグメントを使ったエリア限定放送システムに好適な送信アンテナを提供することにある。
【課題を解決するための手段】
【００１０】
上記課題を解決するためになされた請求項１に記載の発明は，地上デジタル放送による１セグメントを使って特定エリアに向けて独自のエリア情報を送信するための基地局装置を備えることで，前記基地局装置を構成する送信アンテナより送信された前記エリア情報を携帯端末によって受信するように構成してなる特定エリア向けのエリア限定放送システムにおいて，
少なくとも，前記基地局装置は，地上デジタル放送における１セグメントの放送信号を使用して限定された特定エリアにおいて利用される特定エリア情報信号を生成する信号生成部と前記生成された特定エリア情報信号を前記特定エリアに向かって送信する送信アンテナから構成され，前記特定エリア情報信号を所定のレベルで持って送信する送信手段を備えており，
前記送信手段を構成する送信アンテナは，前記特定エリア情報信号を放射するアンテナ部と，当該アンテナ部の近傍に備えられた導電体材料を使って所定の形状に形成された遮蔽材であって，その面が前記アンテナ部の放射方向に向くように設けた遮蔽部を備えるように構成されており，
少なくとも，前記アンテナ部は，当該アンテナ部と前記携帯端末との上下方向の位置の比較において，前記携帯端末の使用の状態における位置を含む水平面より，前記アンテナ部が設置された位置を含む水平面が，常に前記使用状態の携帯端末の位置を示す水平面より下方に位置するように配設されていると共に，前記アンテナ部は，当該アンテナ部から送出される前記特定エリア情報信号が上方に向かって放射するように配設されており，
前記遮蔽部は，当該遮蔽部と前記携帯端末との水平方向の位置の比較において，前記遮蔽部がなす平面と前記携帯端末の使用の状態における位置を含む水平面が交差するような位置に備えられていることを特徴とする。
【００１３】
次に，請求項２に記載の発明は，地上デジタル放送による１セグメントを使って特定エリアに向けて独自のエリア情報を送信するための基地局装置を備えることで，前記基地局装置より送信された前記エリア情報を携帯端末によって受信するように構成してなる特定エリア向けの放送システムを，少なくとも一箇所設けることで形成される前記特定エリアより広い限定エリア向けのエリア限定放送システムにおいて，
少なくとも，前記限定エリア内における前記特定エリア毎に設けたそれぞれの前記基地局装置は，地上デジタル放送における１セグメントの放送信号を使用して限定された特定エリアにおいて利用される特定エリア情報信号を生成する信号生成部と前記生成された特定エリア情報信号を前記特定エリアに向かって送信する送信アンテナから構成され，前記特定エリア情報信号を所定のレベルで持って送信する送信手段を備えており，
前記送信手段を構成する前記送信アンテナは，前記特定エリア情報信号を放射するアンテナ部と，当該アンテナ部の近傍に備えられた導電体材料を使って所定の形状に形成された遮蔽材であって，その面が前記アンテナ部の放射方向に向くように設けた遮蔽部を備えるように構成されており，
少なくとも，前記アンテナ部は，当該アンテナ部と前記携帯端末との上下方向の位置の比較において，前記携帯端末の使用の状態における位置を含む水平面より，前記アンテナ部が設置された位置を含む水平面が，常に前記使用状態の携帯端末の位置を示す水平面より下方に位置するように配設されていると共に，前記アンテナ部は，当該アンテナ部から送出される前記特定エリア情報信号が上方に向かって放射するように配設されており，
前記遮蔽部は，当該遮蔽部と前記携帯端末との水平方向の位置の比較において，前記遮蔽部がなす平面と前記携帯端末の使用の状態における位置を含む水平面が交差するような位置に備えたことを特徴とする。
【００１４】
また，請求項３に記載の発明は，請求項２に記載のエリア限定放送システムにおいて，前記システムに使用される前記特定エリア情報信号は，それぞれ特定エリアごとに異なる情報から生成されていることを特徴とする。
【００１５】
また，請求項４に記載の発明は，請求項３に記載のエリア限定放送システムにおいて，前記システムに使用される前記特定エリア情報信号は，全て同一周波数の電波を使って所定のレベルで送信するように構成したことを特徴とする。
【００１６】
また，請求項５に記載の発明は，請求項３または請求項４に記載のエリア限定放送システムにおいて，前記システムは，それぞれの特定エリアに向かって前記特定エリア情報信号を所定レベルで送信する特定エリア向けの前記基地局装置をそれぞれ備えているのに加え，前記限定エリアには，当該限定エリア全体に向かって，前記特定エリア向けの特定エリア情報信号とは異なる情報からなる限定エリア情報信号を，前記特定エリア情報信号と同一の周波数の電波を使って所定レベルで送信するように構成した限定エリア向けの基地局装置を設けるように構成されていることを特徴とする。
【発明の効果】
【００１７】
請求項１に記載の発明によれば，地上デジタル放送による１セグメントを使って特定エリアに向けて独自のエリア情報を送信するための基地局装置を備えることで，前記基地局装置を構成する送信アンテナより送信された前記エリア情報を携帯端末によって受信するように構成してなる特定エリア向けのエリア限定放送システムにおいて，少なくとも，当該システムに備えさせた前記基地局装置を構成する送信アンテナのアンテナ部が，使用状態にある携帯端末より下方の位置に配設されると共に，特定エリア情報信号を上方に向けて放射するように配置される。
従って，従来技術のように特定エリアとしての展示会ブースや店舗の壁面にアンテナを設置して，電波を特定エリアに向かって水平方向若しくはやや下向きに放射する場合に比べ，放射された電波が導電材料からなる展示物や，周辺の展示会ブースや店舗の構造体等に反射することによって生じる反射波を抑えることができ，直接波と反射波の存在によって生じる電波の不感帯が発生するエリアを無くしたり狭くしたりすることができる。
【００１８】
また，特定エリア向けのエリア限定放送システムを備えた特定エリアが複数個所存在するような条件を考えると，従来技術のように展示会ブースや店舗の壁面にアンテナを設置して，電波を特定エリアに向かって水平方向若しくはやや下向きに放射する設置方法では，アンテナの設置方向とアンテナの指向特性から，異なるシステムから漏れ出る電波の存在によって生じる不感帯エリアが，電波の放射方向（つまり来場者の移動方向）に向かって延びるように形成されることが予想され，受信障害の出るエリアが広くなってしまう。
これに対し，本発明では，各特定エリア向けのエリア限定放送システムに備えさせた送信アンテナのアンテナ部が，それぞれ特定エリア情報信号の放射方向を上方に向かうように構成したことに加え，当該アンテナ部自体の持つ指向特性によって，例え不感帯エリアが発生したとしても，その発生エリアは水平方向よりも天井方向（つまり来場者が存在しない方向）に向かって形成されるため，来場者は，特別な携帯端末を準備することなく，自分が持っている例えば携帯電話のような汎用の携帯端末で持って簡単に，しかも，従来技術より確実に特定エリア向けの限定情報を取得することができるようになるのである。
【００１９】
また，請求項１に記載の発明によれば，送信アンテナに遮蔽部を備えさせたことによって，アンテナから送信される電波の放射範囲を制限することができると共に，使用状態にある携帯端末に，他の特定エリア向けの放送波が飛び込まないようにすることができる。特定エリア向けの情報を確実に受信することができるようになる。
【００２０】
更に請求項２，３に記載の発明によれば，請求項１に記載の特定エリア向けのエリア限定放送システムを少なくとも一箇所設けることで形成される，前記特定エリアより広い限定エリア向けのエリア限定放送システムにおいても，上記効果が期待でき，来場者は簡単，且つ，確実に特定エリアの情報を取得することができる。
【００２１】
また，請求項４に記載の発明によれば，請求項３に記載のエリア限定放送システムにおいて，当該システムに使用される前記特定エリア情報信号が，全て同一周波数の電波を使って所定のレベルで送信するように構成したことによって，来場者は，自分が持っている例えば携帯電話のような汎用の携帯端末で持って，簡単，且つ，確実に特定エリア向けの限定情報を取得することができる利便性に加え，例え特定エリアが複数あっても，来場者は携帯端末を一度設定（チャンネルサーチを一度行えばよい。）するだけで特定エリアごとの情報をシームレスに得ることができるので取扱性にも優れたシステムが提供できる。
【００２２】
更に請求項５に記載の発明によれば，請求項３または請求項４に記載のエリア限定放送システムにおいて，特定エリア向けのエリア限定放送システムに加え，限定エリア全体に向けての限定エリア向けのエリア限定放送システムを備えさせ，しかも，それぞれのシステムから送信される特定エリア情報信号と限定エリア情報は，全て同一周波数の電波を使って所定のレベルで送信するように構成したことによって，来場者は，自分が持っている例えば携帯電話のような汎用の携帯端末で持って，簡単，且つ，従来技術より確実に限定エリア向けの情報に加え特定エリア向けの限定情報を取得することができ，しかも，来場者は携帯端末を一度設定（チャンネルサーチを一度行えばよい。）するだけでエリア全体に向け限定エリア情報と特定エリアごとの情報をシームレスに得ることができるので取扱性にも優れたシステムが提供できる。
【図面の簡単な説明】
【００２３】
【図１】本発明の前提となる参考例１の特定エリア向けのエリア限定放送システムの構成を示す概略図であると共に，当該システムに備えられる送信アンテナの配設状態を示す概略図である。
【図２】参考例１の特定エリア向けのエリア限定放送システムの具体的な使用例を説明するための概略図であり，（ａ）は限定エリアとしての展示会場に特定エリア向けのエリア限定放送システムを複数個所備えさせた例を示す概略図であり，（ｂ）は限定エリアとしての地下街に特定エリア向けのエリア限定放送システムを複数個所備えさせた例を示す概略図である。
【図３】本発明の前提となる参考例２の限定エリア向けのエリア限定放送システムを説明するための概略図であり，（ａ）は限定エリアとしての展示会場内に特定エリア向け放送システムを複数備えさせると共に，限定エリア向けの放送システムを備えさせた例を示す概略図であり，（ｂ）は限定エリアとしての地下街に特定エリア向け放送システムを備えると共に，限定エリア向けの放送システムを備えさせた例を示す概略図である。
【図４】参考例２のエリア限定放送システムを更に詳しく説明するための概略図であり，図３（ａ）の要部を拡大した斜視図である。
【図５】参考例２のエリア限定放送システムにおいて，限定エリア向け放送システムと特定エリア向け放送システムが存在するときの受信エリアを説明するための模式図である。
【図６】（ａ）は従来技術の特定エリア向けのエリア限定放送システムにおける送信アンテナの配設状態を示す概略図であり，（ｂ）は（ａ）で示される送信アンテナの配設状態における特定エリア向けのエリア限定放送システムの不感帯の発生状態を模式的に示した説明図である。
【図７】本発明の実施形態の特定エリア向けのエリア限定放送システムの一部を拡大した概略図であり，本実施形態の特定エリア向けのエリア限定放送システムの具体的な構成を説明するための概略図である。
【図８】本発明の実施形態のエリア限定放送システムにおいて，限定エリア向け放送システムと特定エリア向け放送システムが存在するときの受信エリアを説明するための模式図である。
【発明を実施するための形態】
【実施例１】
【００２４】
図１を用いて本発明の前提となる参考例１の特定エリア向けのエリア限定放送システムの構成について説明する。この図において１０ａ，１０ｂで示されるのが，特定エリアを形成している展示会ブースの一区画に着目して模式的に示したものであり，参考例１における展示会ブースは，それぞれ前面側を開放し両側面１１，１１と背面１２がパーテーション等によって仕切られることによって，間口が６ｍ，奥行きが３ｍ，高さが２．５ｍの大きさで一区画が構成されている。
そして，この特定エリアである展示会ブース１０ａには，地上デジタル放送による１セグメントを使って，前記展示会ブース１０ａに向けて独自のエリア情報を送信するための基地局装置１が備えられており，当該基地局装置１より送信された前記特定エリア情報を，１セグメントによる放送に対応した携帯端末２３（以下の説明で記載される携帯端末２３は，１セグメントによる放送対応とは明記しないが，特に明記しない限りの１セグメント放送対応である。）によって受信することができるようにエリア限定放送システムが構築されている。
【００２５】
本参考例１の基地局装置１は，少なくとも，地上デジタル放送における１セグメントの放送信号を使用して限定された特定エリアにおいて利用される特定エリア情報信号を生成する信号生成部２と前記生成された特定エリア情報信号を前記特定エリアに向かって送信する送信アンテナ３から構成され，前記特定エリア情報信号を所定のレベルで持って送信する送信手段５を備えるように構成されている。尚，前記展示会ブース１０ａに備えられる前記基地局装置１において使用される，特定エリア情報の取得手段や入力手段等の他の手段は説明を簡単にするために図示していない。
【００２６】
本参考例１のエリア限定放送システムは，前記送信手段５を構成する送信アンテナ３の配設位置に特徴を有しており，少なくとも前記送信アンテナ３は，当該送信アンテナ３と前記携帯端末２３との上下方向の位置の比較において，前記携帯端末２３の使用の状態における位置を含む水平面より，前記送信アンテナ３が設置された位置を含む水平面が，常に前記使用状態の携帯端末２３の位置を示す水平面より下方に位置するように配設されていると共に，前記送信アンテナ３は，当該アンテナ３から送出される前記特定エリア情報信号が上方に向かって放射するように配設されている。
つまり，携帯端末２３をもった来場者２２が展示会ブース１０ａを訪れると，携帯端末２３より下方の位置に配設してある前記送信アンテナ３から上方に向かって放射される特定エリア情報信号が，前記携帯端末によって受信できるようにシステムが構成されているのである。
そして，前記条件を満たすために，この図に示される参考例１では，前記送信アンテナ３は展示会ブース１０ａの床面１３に形成された収納空間１３ａ内に収納するように配設されている。
尚，この参考例１では，前記送信アンテナ３は展示会ブース１０ａの床面１３に配設した例を示したが，使用状態の携帯端末２３より下方にあって，上向きに電波を放射できるように配設されていれば良く，例えば図示されていない展示台等の内部に収納するなど実施例に限定されるものではない。また，図に示される送信アンテナ３は一例であり，例えば床面１３に設置しやすいように平面状に形成されたアンテナでも良く，特に実施例に限定されるものではないが，設置スペースや受信エリア等を考慮すれば指向性が余り鋭くない形状のアンテナが望ましい。
【００２７】
ここで，図２を用いて上記のように構成された特定エリア向けのエリア限定放送システムの具体例を説明する。
この図では一つのエリア（以下，限定エリアと記載する。）において，参考例１の特定エリア向けのエリア限定放送システムを少なくとも一箇所備えさせた例が示されており，図２（ａ）は前記限定エリアとしての展示会場１００内の所定の展示会ブース１０ａ，１０ｎに参考例１の特定エリア向けのエリア限定放送システムを備えさせた例を示す概略図であり，図２（ｂ）は前記限定エリアとしての地下街２００内の所定の店舗２０ａ・・・２０ｎに参考例１の特定エリア向けのエリア限定放送システムを備えさせた例を示す概略図である。
そして，それぞれ特定エリア向けのエリア限定放送システムを備えた前記展示会ブースや店舗において，送信手段５から放射された特定エリア向けの独自のコンテンツを携帯端末２３で持って取得できるようシステムが構成されている。
尚，図中５ａで示される鎖線で示した円は特定エリアに対する電波の放射パターンを模式的に示したものである。
そして，参考例１のエリア限定放送システムは，図２に示すように，前記限定エリア内に特定エリア向けのエリア限定放送システムが複数個所備えられた場合には，それぞれの放送システムは，同一周波数を使ってそれぞれ異なる内容のコンテンツが放送されるように構成されている。
これによって，来場者２２は，携帯端末２３のチャンネルスキャンを一度行っておけば，チャンネルを変えることなく，限定エリア内の特定エリア向けのエリア限定放送システムを備えた何れの展示会ブースや店舗にいってもシームレスにそれぞれ独自の情報を得ることができるのである。
【００２８】
このように参考例１の特定エリア向けのエリア限定放送システムによれば，少なくとも，当該システムに備えさせた前記基地局装置１を構成する送信アンテナ３を，使用状態にある携帯端末２３より下方の位置に配設すると共に，特定エリア情報信号を上方に向けて放射するように構成したことによって，従来技術のように展示会ブースや店舗の壁面にアンテナを設置して，電波を特定エリアに向かって水平方向若しくはやや下向きに放射する場合に比べ，放射された電波が導電材料からなる展示物や，周辺の展示会ブースや店舗の構造体等に反射することによって生じる反射波を抑えることができ，直接波と反射波の存在によって生じる電波の不感帯が発生するエリアを無くしたり狭くしたりすることができる（特に展示会場のように，天井が高い建物に好適であるのは言うまでもない。）。
【００２９】
また，図２のように特定エリア向けのエリア限定放送システムを備えた特定エリアが複数個所存在するような条件を考えると，従来技術のように展示会ブースや店舗の壁面にアンテナを設置して，電波を特定エリアに向かって水平方向若しくはやや下向きに放射する設置方法では，アンテナの設置方向とアンテナの指向特性から，異なるシステムから漏れ出る電波の存在によって生じる不感帯エリアが，電波の放射方向（つまり来場者２０の移動方向）に向かって延びるように形成されることが予想され，受信障害の出るエリアが広くなるのに対し，参考例１では，各特定エリア向けのエリア限定放送システムに備えさせた送信アンテナ３は，それぞれ特定エリア情報信号の放射方向を上方に向かうように構成したことに加え，当該送信アンテナ３自体の持つ指向特性によって，例え不感帯エリアが発生したとしても，その発生エリアは水平方向よりも天井方向（つまり来場者２２が存在しない方向）に向かって形成されるため，来場者２２は，特別な携帯端末を準備することなく，自分が持っている例えば携帯電話２３のような汎用の携帯端末で持って簡単に，しかも，従来技術より確実に特定エリア向けの限定情報を取得することができるようになるのである。
【実施例２】
【００３０】
次に，本発明の前提となる参考例２について図３を基に説明する。
先ず参考例２の特定エリア向けのエリア限定放送システムと上記参考例１の特定エリア向けのエリア限定放送システムの違いである。
参考例２では，限定エリア内に上記参考例１の特定エリア向け放送システムを少なくとも一箇所備えさせているのに加え，前記限定エリア向けのエリア限定放送システムを備えさせたところにあり，図３（ａ）は前記限定エリアとしての展示会場１００内に，上記参考例１の特定エリア向け放送システムを少なくとも一箇所備えさせると共に，前記限定エリア向けにも放送システムを備えさせた例を示す概略図であり，（ｂ）は前記限定エリアとしての地下街２００に，少なくとも一箇所の上記参考例１の特定エリア向け放送システムを備えると共に，限定エリア向けにも放送システムを備えさせた例を示す概略図である。
尚，以下の説明を簡単に行うため，上記参考例１と同じ構成要素には同じ符号を付与し，詳しい説明は省略する。
この図３において５０で示されるのが限定エリア向けの基地局装置１を構成する送信手段であり，当該送信手段５０からは特定エリア向けの限定情報とは異なる，限定エリア向けの独自な情報がサービスされるように構成されている。そして，図３中５０ａで示される一点鎖線で示した楕円は限定エリアに対する電波の放射パターンを模式的に示したものである。
【００３１】
このような構成のエリア限定放送システムは次のような使い方が期待できる。即ち，前記限定エリア向けのエリア限定放送システムは，会場全体に対してイベントの情報や駐車場情報，交通機関情報等の情報を画像や文字データによって放送するのに対して，前記特定エリア向けのエリア限定放送システムは，各展示会ブース１０ａ，１０ｎや，各店舗２０ａ・・・２０ｍ，２０ｎがそれぞれ限定エリア向けの情報とは異なる独自のコンテンツを画像や文字データによって放送することができるようになるのである。
しかも，本参考例２におけるエリア限定放送システムにおいても，前記限定エリア向けのエリア限定放送システムと前記特定エリア向けのエリア限定放送システムは同一周波数を使って送信することによって，上記参考例１と同様に限定エリア向けの情報と，特定エリア向けの情報がシームレスに得ることができるようになる。
【００３２】
このときの来場者２２の動きを図３および図４を用いて更に詳しく説明する。
図４は参考例２のエリア限定放送システムを更に詳しく説明するために図３（ａ）の要部（展示会ブース１０ａ）を拡大した図面であり，図３（ａ）における矢印ＲＶから見た展示会ブース１０ａの背面１２の一部を破断した斜視図である。
前記限定エリア１００向けのエリア限定放送を携帯端末２３で受信しながら歩いていた来場者２２は，図３及び図４中で示される矢印ＷＬに沿うようにして展示会ブース１０ａに立ち寄ると，携帯端末２３は当該展示会ブース１０ａに備えられた送信手段５から送信されている特定エリア情報を，前記携帯端末２３の設定を変えることなくシームレスに受信でき，限定エリア向けの情報に加え，その展示会ブース１０ａ独自の情報を簡単に得ることができる。
尚，この図４において５３で示されるのは，請求項に記載の「前記携帯端末の使用の状態における位置を含む水平面」を示すために模式的に示したものであり，実際の水平面は図のようにエリアが限定されるものではない，また，この図４では，請求項に記載の「前記送信アンテナが設置された位置を含む水平面」は床面１３である。
【００３３】
図５には，参考例２のエリア限定放送システムにおける，展示会ブース１０ａにおける特定エリア向けの放送の受信エリアと不感帯エリアを，計算によって求めたものが図示されている。
詳しくは，実験的に得られた結果から，限定エリア向け放送システムの電波の強さと，特定エリア向け放送システムの電波の強さとの比較において，限定エリア向け放送システムにおける送信手段５０から送信される電波の強さと，特定エリア向け放送システムにおける送信手段５から送信される電波の強さとの差が６ｄＢ以上（限定エリア向け放送システムの電波の強さ＞特定エリア向け放送システムの電波の強さ。更に良好な受信のためには電界強度の差が１０ｄＢ以上あるのが望ましい。）ある受信可能エリア１００ａと，電波の強さの差が６ｄＢに満たない受信不可能エリア（両方の電波が受信できない）である不感帯エリア１０１ａの発生エリアが示されている。
尚，本参考例２では，前記限定エリア向けのエリア限定放送システムを構成する送信手段５０から放射される電波は，来場者２２を基準にすると水平偏波であり，前記特定エリア向けのエリア限定放送システムを構成する送信手段５からは放射される電波は垂直偏波で放射するように，それぞれのアンテナの配設方向をかえることによって，両偏波の識別度の改善を図っている。
【００３４】
ここで図６を用いて従来技術による受信エリアと不感帯エリアの発生状態を説明する。この図６において，（ａ）は従来技術の特定エリア向けのエリア限定放送システムにおける送信アンテナの配設状態を示す概略図であり，展示会ブース１０ａの背面１２に送信アンテナ３ａを備えさせたＡ例と，展示会ブース１０ａの側面１１に送信アンテナ３ａを備えさせたＢ例が示されている。（ｂ）は（ａ）で示される送信アンテナの配設状態であるＡ例とＢ例における特定エリア向けのエリア限定放送システムの不感帯の発生状態を模式的に示した説明図である。
この図からわかるように，従来技術のように送信アンテナを設置したＡ例，Ｂ例では，送信アンテナの放射方向に向かって広い範囲で不感帯エリア（図の一点鎖線示されるエリアＡおよびエリアＢ）が発生しており，これらの図の比較において，上記送信アンテナ３の配設方法によって，不感帯エリアを狭くすることができることがわかる。
【００３５】
このように，参考例２におけるエリア限定放送システムでは，限定エリア向けの送信手段が，会場全体をカバーできるように概ね水平方向に向かって電波を放射するように構成されているのに対して，特定エリア向けのエリア限定放送システムに備えさせた送信手段５を構成する送信アンテナ３は，それぞれ特定エリア情報信号を使用状態における携帯端末２３の下方位置から，上方に向かって放射するように構成したことに加え，当該送信アンテナ３自体の持つ指向特性によって，例え不感帯エリアが発生したとしても，その主たる発生エリアは水平方向よりも天井方向（つまり来場者２２が存在しない方向）に向かって形成される。
このため，来場者２２は，自分が持っている例えば携帯電話２３のような汎用の携帯端末で持って，簡単，且つ，従来技術より確実に限定エリア向けの情報に加え特定エリア向けの限定情報を取得することができ，しかも，両方の情報が同一周波数によって得ることができるので，来場者２２は携帯端末を一度設定するだけでシームレスに情報を得ることができるので利便性にも優れたシステムを提供できる。
【実施例３】
【００３６】
次に，本発明の実施形態について図７及び図８を基に説明する。
本実施形態に係る限定エリア向けのエリア限定放送システムは，上記参考例２における限定エリア向けのエリア限定放送システムの異なる実施例であり，上記構成より不感帯エリアの発生を更に狭くすることを目的としたものである。
これらの図において図７は本実施形態の限定エリア向けのエリア限定放送システム内に備えられた特定エリアである展示会ブース３０ａの一部を拡大した概略図であり，当該展示会ブース３０ａに備えた特定エリア限定放送システムの具体的な構成を説明するための図である。尚，この実施形態においても，上記参考例と同じ構成要素には同じ符号を付与し，詳しい説明は省略する。
【００３７】
本実施形態において，送信手段５を構成する前記送信アンテナ３は，前記特定エリア情報信号を放射するアンテナ部３３ａと，当該アンテナ部３３ａの近傍に備えられた導電体材料を使って所定の形状に形成された遮蔽材であって，その面が前記アンテナ部の放射方向に向くように設けた遮蔽部３３ｂを備えるように構成されており，少なくとも，前記アンテナ部３３ａは上記構成の送信アンテナ３と同様に，当該アンテナ部３３ａと前記携帯端末２３との上下方向の位置の比較において，前記携帯端末の使用の状態における位置を含む水平面より，前記アンテナ部３３ａが設置された位置を含む水平面が，常に前記使用状態の携帯端末２３の位置を示す水平面より下方に位置するように配設されていると共に，前記アンテナ部３３ａは，当該アンテナ部３３ａから送出される前記特定エリア情報信号が上方に向かって放射するように配設されている。
また，新しく追加された部材である前記遮蔽部３３ｂは，当該遮蔽部３３ｂと前記携帯端末２３との水平方向の位置の比較において，前記遮蔽部３３ｂがなす平面と前記携帯端末２３の使用の状態における位置を含む水平面が交差するような位置に配設される。
【００３８】
具体的には，図７に良く示されているように，本実施形態における前記遮蔽部３ｂは，展示会ブース３０ａを区切る側壁１１，１１及び背面１２の素材を，導電体材料を使って形成したり，ベニア材などで形成されたパーテーション内部に，導電体材料を使って所定の形状に形成された遮蔽材を備えさせるように構成しておいて，当該遮蔽部３ａを使ってアンテナ部３３ａから送信される電波の放射範囲を制限すると共に，使用状態にある携帯端末２３に，他の特定エリア向けの放送波が飛び込まないように構成している。
尚，この遮蔽部３ｂは金属箔のような薄板状の材料で構成してもよいし，アンテナ部３３ａから放射される信号（本発明ではＵＨＦ帯の信号）が遮蔽できるほどの網目を有した網目状の部材であっても良い。
更に，この実施形態では，展示会ブース３０ａの両側面１１，１１及び背面１２の全てに遮蔽部３３ｂを備えた例を示したが，特にこの実施形態に限定されるものではなく，展示会ブースの配設位置によっては，遮蔽部３３ｂを備えさせる位置を限定してもよい。
また，本実施形態における遮蔽部３３ｂの大きさは，展示会ブース３０ａの両側面１１，１１及び背面１２の大きさに合わせた例を示したが，特にその大きさは実施例に限定されるものではなく，例えば，送信アンテナの指向特性に合わせるように大きさや設置位置を決めればよい。
【００３９】
次に，本実施形態において発生する受信エリアと不感帯エリアについて図８を基に説明する。
この図８は本実施形態のエリア限定放送システムにおいて，限定エリア向け放送システムと特定エリア向け放送システムが存在するときの受信エリアを説明するための模式図であり，展示会ブース３０ａの受信エリアと不感帯エリアを，計算によって求めたものが図示されている。
詳しくは，限定エリア向け放送システムの電波の強さと，特定エリア向け放送システムの電波の強さとの比較において，実験的に得られた結果から，限定エリア向け放送システムにおける送信手段５０から送信される電波の強さと，特定エリア向け放送システムにおける送信手段５から送信される電波の強さとの差が６ｄＢ以上（限定エリア向け放送システムの電波の強さ＞特定エリア向け放送システムの電波の強さ。更に良好な受信のためには電界強度の差が１０ｄＢ以上あるのが望ましい。）ある受信可能エリア１１０ａと，電波の強さの差が６ｄＢに満たない受信不可能エリア（両方の電波が受信できない）である不感帯エリア１１１ａが示されている。
【００４０】
この図から良く分かるように，本実施形態によれば，前記送信手段５を構成する前記送信アンテナを，アンテナ部３ａと，当該アンテナ部３ａの近傍に備えられた導電体材料を使って所定の形状に形成された遮蔽材であって，その面が前記アンテナ部３ａの放射方向に向くように設けた遮蔽部３ｂを備えるように構成しておいて，少なくとも，前記アンテナ部３ａは，当該アンテナ部３ａと前記携帯端末２３との上下方向の位置の比較において，前記携帯端末２３の使用の状態における位置を含む水平面より，前記アンテナ部３ａが設置された位置を含む水平面が，常に前記使用状態の携帯端末２３の位置を示す水平面より下方に位置するように配設されていると共に，前記アンテナ部３ａは，当該アンテナ部３ａから送出される前記特定エリア情報信号が上方に向かって放射するように配設されており，更には，前記遮蔽部３ｂは，当該遮蔽部３ｂと前記携帯端末２３との水平方向の位置の比較において，前記遮蔽部３ｂがなす平面と前記携帯端末２３の使用の状態における位置を含む水平面が交差するような位置に配設したことによって，本実施形態の構成によって生じる不感帯エリア１１１ａは，図５において示されている参考例２の構成によって生じる不感帯エリア１０１ａに比べ更に狭くすることができることがわかる。
【００４１】
尚，本発明は，以下に例示するように，本発明の趣旨を逸脱しない範囲で各部の構成を適宜に変更して実施することも可能である。
上記実施形態では，限定エリア向けのエリア限定放送システムを構成する送信手段５０からは放射される電波は，来場者２２を基準にすると水平偏波であり，特定エリア向けのエリア限定放送システムを構成する送信手段５からは放射される電波は垂直偏波で放射するように構成されているが，送信アンテナの指向特性に応じて配設すればよく，特にこの実施形態に限定されるものではない。
また，上記実施形態では，送信アンテナ３の設置に際して，当該送信アンテナの指向特性の中心線が当該送信アンテナ３が設置された位置を含む水平面に対して垂直方向上向きになるように配設した例を示したが，特定エリアの状況に応じて電波の放射方向をズラしても良い。
【符号の説明】
【００４２】
１…基地局装置，２…信号生成部，３…送信アンテナ，３ａ…送信アンテナ，３ｂ…送信アンテナ（従来技術），５…送信手段（特定エリア向け），５ａ…放射パターン（特定エリア），６…，７…，８…，９…，１０…展示会ブース（１０ａ・・・１０ｎ），１１…側面，１２…背面，１３…床面，１３ａ…収納空間，２０…店舗（２０ａ・・・２０ｎ），２２…来場者，２３…携帯端末，３０…展示会ブース（３０ａ，３０ｂ），３１…側面，３２…背面，３３ａ…アンテナ部，３３ｂ…遮蔽部，５０…送信装置（限定エリア向け），５０ａ…放射パターン（限定エリア），５３…携帯端末の位置を示す水平面，１００…展示会場，１００ａ…受信可能エリア（参考例２），１０１ａ…不感エリア（参考例２），１１０ａ…受信可能エリア（実施形態），１１１ａ…不感エリア（実施形態），２００…地下街。
【図１】
0005457082.tif 000002
【図２】
0005457082.tif 000003
【図３】
0005457082.tif 000004
【図４】
0005457082.tif 000005
【図５】
0005457082.tif 000006
【図６】
0005457082.tif 000007
【図７】
0005457082.tif 000008
【図８】
0005457082.tif 000009